【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第２の自己走査型発光素子アレイ回路と；
前記第１および第２の自己走査型発光素子アレイ回路の転送素子の各制御電極が、負荷抵抗を介して接続される１本の電源ラインと；
を備えることを特徴とする自己走査型発光素子アレイチップ。
【請求項２】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第２の自己走査型発光素子アレイ回路と；
前記第１および第２の自己走査型発光素子アレイ回路へ一方の相のクロックパルスをそれぞれ供給する、互いに接続された２本のクロックパルスラインと；
前記第１および第２の自己走査型発光素子アレイ回路へ他方の相のクロックパルスをそれぞれ供給する、互いに接続された２本のクロックパルスラインと；
前記第１および第２の自己走査型発光素子アレイ回路の転送素子の各制御電極が、負荷抵抗を介して接続される１本の電源ラインと；
を備えることを特徴とする自己走査型発光素子アレイチップ。
【請求項３】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第２の自己走査型発光素子アレイ回路と；
前記第１および第２の自己走査型発光素子アレイ回路の転送素子の各制御電極が、負荷抵抗を介して接続される１本の電源ラインとを備え、
前記第１の自己走査型発光素子アレイ回路において、前記２相のクロックパルスラインの一方を、ダイオードを介して、最初にオンすべき転送素子の制御電極に接続し、
前記第２の自己走査型発光素子アレイ回路において、前記２相のクロックパルスラインの一方を、ダイオードを介して、最初にオンすべき転送素子の制御電極に接続した、
ことを特徴とする自己走査型発光素子アレイチップ。
【請求項４】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための書込み信号を印加する１本の書込み信号ラインを設けた第２の自己走査型発光素子アレイ回路と；
前記第１および第２の自己走査型発光素子アレイ回路へ一方の相のクロックパルスをそれぞれ供給する１本の第１のクロックパルスラインと；
前記第１のクロックパルスラインに挿入された１個の第１の電流制限抵抗と；
前記第１および第２の自己走査型発光素子アレイ回路へ他方の相のクロックパルスを供給する１本の第２のクロックパルスラインと、
前記第２のクロックパルスラインに挿入された１個の第２の電流制限抵抗と；
前記各転送素子の端子と、前記第１または第２のクロックパルスラインとの間に挿入された第３の抵抗と；
前記第１および第２の自己走査型発光素子アレイ回路の転送素子の各制御電極が、負荷抵抗を介して接続される１本の電源ラインと；
を備えることを特徴とする自己走査型発光素子アレイチップ。
【請求項５】
前記第１の自己走査型発光素子アレイ回路の１個の転送素子と、前記第２の自己走査型発光素子アレイ回路の１個の転送素子とが同時にオンするように、前記第１および第２の電流制限抵抗の値、および前記第３の抵抗の値を定めることを特徴とする請求項４記載の自己走査型発光素子アレイチップ。
【請求項６】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第２の自己走査型発光素子アレイ回路と；
前記第１および第２の自己走査型発光素子アレイ回路の転送素子の各制御電極が、負荷抵抗を介して接続される１本の電源ラインと；
を備えることを特徴とする自己走査型発光素子アレイチップ。
【請求項７】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第２の自己走査型発光素子アレイ回路と；
前記第１および第２の自己走査型発光素子アレイ回路へ一方の相のクロックパルスをそれぞれ供給する、互いに接続された２本のクロックパルスラインと；
前記第１および第２の自己走査型発光素子アレイ回路へ他方の相のクロックパルスをそれぞれ供給する、互いに接続された２本のクロックパルスラインと；
前記第１および第２の自己走査型発光素子アレイ回路の転送素子の各制御電極が、負荷抵抗を介して接続される１本の電源ラインと；
を備えることを特徴とする自己走査型発光素子アレイチップ。
【請求項８】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給する２本のクロックパルスラインを設け、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第２の自己走査型発光素子アレイ回路と；
前記第１および第２の自己走査型発光素子アレイ回路の転送素子の各制御電極が、負荷抵抗を介して接続される１本の電源ラインとを備え、
前記第１の自己走査型発光素子アレイ回路において、前記２相のクロックパルスラインの一方を、ダイオードを介して、最初にオンすべき転送素子の制御電極に接続し、
前記第２の自己走査型発光素子アレイ回路において、前記２相のクロックパルスラインの一方を、ダイオードを介して、最初にオンすべき転送素子の制御電極に接続した、
ことを特徴とする自己走査型発光素子アレイチップ。
【請求項９】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第１の自己走査型発光素子アレイ回路と；
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子の隣接する転送素子をオンさせ、
発光のためのしきい電圧もしくはしきい電流が外部から電気的に制御可能な３端子発光素子多数個を、一次元的に配列し、
前記各発光素子の残りの２端子の一方に発光のための書込み信号を、それぞれ１素子おきに印加する２本の書込み信号ラインを設け、
前記転送素子の各制御電極を、隣接する２個の前記発光素子の対応する制御電極に接続した第２の自己走査型発光素子アレイ回路と；
前記第１および第２の自己走査型発光素子アレイ回路へ一方の相のクロックパルスをそれぞれ供給する１本の第１のクロックパルスラインと；
前記第１のクロックパルスラインに挿入された１個の第１の電流制限抵抗と；
前記第１および第２の自己走査型発光素子アレイ回路へ他方の相のクロックパルスを供給する１本の第２のクロックパルスラインと、
前記第２のクロックパルスラインに挿入された１個の第２の電流制限抵抗と；
前記各転送素子の端子と、前記第１または第２のクロックパルスラインとの間に挿入された第３の抵抗と；
前記第１および第２の自己走査型発光素子アレイ回路の転送素子の各制御電極が、負荷抵抗を介して接続される１本の電源ラインと；
を備えることを特徴とする自己走査型発光素子アレイチップ。
【請求項１０】
前記第１の自己走査型発光素子アレイ回路の１個の転送素子と、前記第２の自己走査型発光素子アレイ回路の１個の転送素子とが同時にオンするように、前記第１および第２の電流制限抵抗の値、および前記第３の抵抗の値を定めることを特徴とする請求項９記載の自己走査型発光素子アレイチップ。
【請求項１１】
前記転送素子および発光素子は、ｐｎｐｎ構造の発光サイリスタにより構成されることを特徴とする請求項１〜１０のいずれかに記載の自己走査型発光素子アレイチップ。
【請求項１２】
請求項１１に記載の自己走査型発光素子アレイチップを有することを特徴とする光書込みヘッド。
【請求項１３】
請求項１２に記載の光書込みヘッドを備えることを特徴とする光プリンタ。
【手続補正２】
【補正対象書類名】明細書
【補正対象項目名】００４０
【補正方法】変更
【補正の内容】
【００４０】
図１１に、その回路構成を示す。ダイオード６２を、左側回路の左端の転送素子のゲートと、φ２Ｌライン４２との間に挿入し、およびダイオード６４を、右側回路の左端の転送素子のゲートと、φ２Ｒライン５２との間に挿入する。
【手続補正３】
【補正対象書類名】図面
【補正対象項目名】図１１
【補正方法】変更
【補正の内容】
【図１１】
2002111063.tif 000001